(57)【要約】【課題】前傾姿勢で立ち作業を行う際に、ユーザの腰部への負担をより効果的に軽減することができる流し台を提供する。【解決手段】台本体部３から上方に向かって立ち上がり、ユーザの上半身を支える上半身支持部９を備えることを特徴とする。【選択図】図１
2011041602.tif 000002
【特許請求の範囲】
【請求項１】
台本体部から上方に立ち上がりユーザの上半身を支える上半身支持部を備えることを特徴とする流し台。
【請求項２】
前記上半身支持部の高さを調整可能な高さ調整部を備えることを特徴とする請求項１に記載の流し台。
【請求項３】
前記上半身支持部は、ユーザの胸部を支持可能な胸当て部を備えることを特徴とする請求項１又は２に記載の流し台。
【請求項４】
前記上半身支持部は、ユーザのひじ部を支持可能なひじ当て部を備えることを特徴とする請求項１乃至３の何れか一項に記載の流し台。
【請求項５】
前記高さ調整部は、前記台本体部の台輪部に設けられていることを特徴とする請求項１乃至４の何れか一項に記載の流し台。
【発明の詳細な説明】
【技術分野】
【０００１】
この発明は、洗顔時にユーザの腰部に掛かる負担を軽減できる流し台に関するものである。
【背景技術】
【０００２】
従来から、洗面作業時にユーザの腰部に掛かる負担を軽減する洗面台として、例えば、前傾姿勢となる際に、大腿部や下腹部辺りの前面を支持するサポートバーを設けることで、ユーザの体重を足とサポートバーとに分散させて腰部の負担を軽減するものが提案されている（例えば、特許文献１参照）。
また、例えば、ボール部の手前側の形状を指が引っかかり易い断面形状にし、この部分で身体を支えながら洗面作業を行うようにしたものがある（例えば、特許文献２参照）。
【先行技術文献】
【特許文献】
【０００３】
【特許文献１】特開２００４−３８１６２７号公報
【特許文献２】特開平１１−３４９２１８号公報
【発明の概要】
【発明が解決しようとする課題】
【０００４】
ところで近年、身体を剛体リンクモデルと呼ばれるモデルに近似して関節角度、関節モーメントおよび関節パワーなどを計算することが可能な三次元動作解析システムという検証方法が用いられている。この三次元動作解析システムは、人間の身体の体節を硬く変形しない剛体と仮定してこれらの体節が関節でつながっているものとみなし、このリンクモデルに作用する床反力と重力とを加味して力学モデルを作成するというものであり、股関節への負担を推定することで、より正確に腰部関節への負担を検証することが可能となっている。
この三次元動作解析システムによる検証の結果、前者の流し台のように大腿部や下腹部などの下肢を支持した場合は、膝や足首への負担軽減に対して一定の効果が認められるものの、腰部への負担軽減についてはあまり効果ないという検証結果が得られた。
【０００５】
さらに、後者の流し台のようにボール部の前縁を把持する場合、前傾姿勢になるまでの間、腕によって身体を支え易くなるものの、手の平を使わなければならない洗顔作業を行う場合には、腕で身体を支えることができなくなり、流し台の前縁が下腹部だけを支持することとなるため、腰部の負担が十分に軽減されないという課題がある。
【０００６】
この発明は、上記事情に鑑みてなされたものであり、前傾姿勢で立ち作業を行う際に、ユーザの腰部への負担をより効果的に軽減することができる流し台を提供するものである。
【課題を解決するための手段】
【０００７】
上記の課題を解決するために、請求項１に記載した発明は、台本体部（例えば、実施形態における台本体部３）から上方に立ち上がりユーザの上半身を支える上半身支持部（例えば、実施形態における上半身支持部９，２９）を備えることを特徴とする。
【０００８】
請求項２に記載した発明は、請求項１に記載の発明において、前記上半身支持部の高さを調整可能な高さ調整部を備えることを特徴とする。
【０００９】
請求項３に記載した発明は、請求項１又は２に記載の発明において、前記上半身支持部は、ユーザ（例えば、実施形態におけるユーザＹ）の胸部（例えば、実施形態における胸部Ｍ）を支持可能な胸当て部（例えば、実施形態における胸当て部１６）を備えることを特徴とする。
【００１０】
請求項４に記載した発明は、請求項１乃至３の何れか一項に記載の発明において、前記上半身支持部は、ユーザのひじ部（例えば、実施形態におけるひじ部Ｈ）を支持可能なひじ当て部（例えば、実施形態におけるひじ当て部２１６）を備えることを特徴とする。
【００１１】
請求項５に記載した発明は、請求項１乃至４の何れか一項に記載の発明において、前記高さ調整部は、前記台本体部の台輪部に設けられていることを特徴とする。
【発明の効果】
【００１２】
請求項１に記載した発明によれば、洗顔など手の平を用いて前傾作業を行っている場合であっても、台本体部から上方に向かって立ち上がる上半身支持部によって胸部やひじ部などを支持することでユーザの上半身を支持することができるため、ユーザの腰部への負担をより効果的に軽減することができる効果がある。
【００１３】
請求項２に記載した発明によれば、請求項１の効果に加え、高さ調整部によって上半身支持部の高さが可変となっていることで、ユーザの体格に合わせて上半身支持部の高さを最適な位置に設定することができるため、ユーザの腰部への負担を更に軽減することができる効果がある。
【００１４】
請求項３に記載した発明によれば、請求項１又は２の効果に加え、上半身支持部によってユーザの胸部を支持することができるため、手腕の動きを妨げることなしに、ユーザの腰部への負担を軽減することができる効果がある。
【００１５】
請求項４に記載した発明によれば、請求項１乃至３の何れか一項の効果に加え、上半身支持部によってユーザのひじ部を支持することで、ユーザの上半身を支持しつつひじから先については動かすことが可能となるため、前傾作業中におけるユーザの腰部への負担を軽減することができる効果がある。
【００１６】
請求項５に記載した発明によれば、請求項１乃至４の何れか一項の効果に加え、高さ調整部が台輪部に設けられていることで、上半身支持部に加えて台本体部自体の高さをユーザの体格に合わせて調整することができるため、更なる商品性の向上を図ることができる効果がある。
【図面の簡単な説明】
【００１７】
【図１】本発明の第１実施形態における洗面化粧台の斜視図である。
【図２】本発明の第１実施形態における洗面化粧台の図であり、（ａ）は上面図、（ｂ）は正面図である。
【図３】本発明の第１実施形態における水栓の斜視図である。
【図４】本発明の第１実施形態における洗面化粧台をユーザが利用したときの姿勢を示す概略図である。
【図５】本発明の第１実施形態の第１変形例における身体補助具の斜視図である
【図６】本発明の第１実施形態の第１変形例における身体補助具の図であり、（ａ）は側面図、（ｂ）は正面図である。
【図７】本発明の第１実施形態の第２変形例における身体補助具の斜視図である
【図８】本発明の第１実施形態の第２変形例における身体補助具の図であり、（ａ）は側面図、（ｂ）は正面図である。
【発明を実施するための形態】
【００１８】
次に、この発明の各実施形態における流し台について図面を参照しながら説明する。なお、この実施形態では、流し台として、洗面や洗髪等の前傾作業を行う洗面化粧台を一例に説明する。なお、以下の説明においてユーザＹの上半身Ｊとは、胴体および上肢を含んでいる。
図１および図２（ａ），（ｂ）は、この発明の第１実施形態の洗面化粧台１を示している。
この洗面化粧台１は、床上に設けられた台輪２上に載置される台本体部３を備えてなり、台本体部３には、その下部に収納用の扉４が設けられる。一方、台本体部３の上部には凹状のボール部５が形成され、このボール部５の周囲には水平面６を備える環状のカウンター部７が形成されている。このカウンター部７の水平面６により、石鹸等の物品が載置可能となっている。床面からカウンター部７の上面までの標準的な高さ寸法は８００ｍｍ程度に設定される。なお、この実施形態では、上述した洗面化粧台１の扉４が開放される側をユーザＹの立つ側すなわち、前方と称し、その反対側を後方と称す。
【００１９】
カウンター部７の後方側には水栓８が取り付けられ、カウンター部７の前方側には上半身支持部９が取り付けられている。これら水栓８および上半身支持部９は何れも、カウンター部７の左右方向の略中央位置に配置されている。
【００２０】
水栓８は、内部に通水路を備え、図３に示すように、カウンター部７から上方に立ち上がる立上り部１０と、この立上り部１０の上部から屈曲形成されて前方側へ延びる延出部１１とを備えている。延出部１１の前端には吐出口を有するヘッド部１２が形成されている。立上り部１０は、その基部側に延出部１１の高さをスライド可能に調整する高さ調整部１３が形成されている。さらに、延出部１１には、ヘッド部１２の延出部１１の長さ方向の位置をスライド可能に調整する長さ調整部１４が形成されている。
【００２１】
立上り部１０は、その軸線周りに回動可能に形成されており、この立上り部１０の回動によって延出部１１が左右方向に揺動される。さらにヘッド部１２は、延出部１１の軸線周りに回転可能になっており、このヘッド部１２を回転させることで、ヘッド部１２の吐出口が開口する向きを上方に変更することが可能になっている。このように吐出口を上向きにすることで、吐出口から水が上方に向かって噴出されるため、洗顔時などにユーザＹは手の平を使うことなく、顔面に直接水を当てることが可能となる。
【００２２】
また水栓８には、吐水および止水をする弁機構（不図示）、弁機構を操作するノブ（不図示）、温度調整用のサーモスタット（不図示）等が設けられ、温水および冷水を供給する管路がそれぞれ接続されている。この構成により、ユーザＹが吐水操作を行うと設定温度の水が吐出口から吐出される。
【００２３】
一方、図１、図２（ｂ）に示すように、上半身支持部９は、ボール部５の前方に位置するカウンター部７の上面から立ち上がる２本の支持部材１５と、これら支持部材１５の上端の間に亘って取り付けられる胸当て部１６とを備えて構成されている。
【００２４】
この上半身支持部９は、支持部材１５の下端すなわちカウンター部７の上面から胸当て部１６の上端までの標準的な高さ寸法が２００ｍｍ程度に設定されている。また、胸当て部１６は、図１に示すように円柱状に形成しても良く、このように円柱状に形成した場合は直径４０ｍｍ程度に設定するのが好ましい。
【００２５】
また上記円柱状ではなく、例えば胸当て部１６の上面を略平面に形成してもよく、この場合、洗面化粧台１の後方から前方に向かって下る傾斜面としても良い。このように傾斜面とする場合の傾斜角度は、鉛直方向に対する前傾時のユーザＹの胴体の角度に基づき設定でき、例えば、ユーザＹの身長を基準とした洗面化粧台１の高さ（高さ／身長）を「ｘ」とすると、この傾斜角度「ｙ」は、ｙ＝２０６．９５ｘ＋１６０．２７の式により近似することができる。このように傾斜を設定することで、ユーザＹの前傾時に最適な傾斜面にすることができ安定的にユーザの上半身Ｊを支持することができる。
【００２６】
また上記傾斜面の傾斜角度を４５°〜７０°の範囲で可変にしてもよく、この場合、前後方向の幅寸法を１５０ｍｍ以下とすることでユーザＹの胸部Ｍを安定的に支持できるためより好ましい。
【００２７】
上半身支持部９は、陶器、木材、硬質樹脂等で形成することができ、胸当て部１６の上部すなわち、ユーザＹの胸部Ｍが接する位置にだけ低反発ウレタン、ゲル、ビーズクッションなどを透水性の低い材料（例えば、塩ビ等）でカバーして設けてもよい。
【００２８】
したがって、第１実施形態の洗面化粧台１によれば、図４に示すように、ユーザＹが洗顔など手の平を用いて前傾作業を行っている場合であっても、台本体部３のカウンター部７から上方に向かって立ち上がる上半身支持部９によってユーザＹの胸部Ｍを支持することでユーザＹの上半身Ｊを支持することができるため、ユーザＹの腰部Ｋへの負担をより効果的に軽減することができる。なお、図４においては、胸当て部１６に傾斜面を設けた一例を示している。
【００２９】
そして、上半身支持部９によってユーザＹの胸部Ｍを支持することで、ユーザＹの手および腕の動きを妨げることなしに、ユーザＹの腰部Ｋへの負担を軽減することができる。
【００３０】
なお、上述した第１実施形態の洗面化粧台１の構成に限られるものではなく、変形例として例えば、上半身支持部９の支持部材１５の長さを、スライドにより伸縮可能にしたり、継ぎ足し可能な構成などにして胸当て部１６の高さ位置を調整する高さ調整部を設けても良い。
このように胸当て部１６の高さ位置を調整可能とすることで、ユーザＹの体格に合わせて上半身支持部９の高さを最適な位置に設定することができるため、ユーザＹの腰部Ｋへの負担を更に軽減することができる。
【００３１】
また、他の変形例として、胸当て部１６の高さ位置を調整するべく、洗面化粧台１の台本体部３自体の高さを調整する構成にしてもよい。台本体部３の高さを調整する構成としては、例えば、洗面化粧台１の台輪２の高さを変更してもよく、また台輪２に油圧式やパンタグラフ式のジャッキ等の高さ調整部を取り付けて洗面化粧台１の高さを調整するようにしてもよい。
このように高さ調整部を台輪２に設けた場合、上半身支持部９に加えて台本体部３自体の高さをユーザＹの体格に合わせて調整することができるため、更なる商品性の向上を図ることができる。
【００３２】
また、上述した第１実施形態では、上半身支持部９を洗面化粧台１に取り付けられる場合について説明したが、上半身支持部９を着脱可能に構成してもよい。このように上半身支持部９を着脱可能にすることで、上半身支持部９を必要としないユーザＹが洗面化粧台１を利用する際に邪魔になりにくい。
【００３３】
また、上述した第１実施形態の洗面化粧台１においては、上半身支持部９の胸当て部１６を２本の支持部材１５によって支持する場合について説明したが、この構成に限られず、例えば第１実施形態の他の態様として図５（ａ），（ｂ）に示すように、上述した支持部材１５に換えて、カウンター部７の前方側の部分と一体的に形成された支持部材１１５を用いるようにしてもよい。このように構成することで、上半身支持部９の意匠性を向上することができる。
【００３４】
さらに、上述した水栓８としては、マイクロバブルなどの技術を採用したシャワーヘッドとしてもよい。このマイクロバブルを用いたシャワーヘッドの場合、マイクロバブルの洗浄効果によって顔面を手の平で擦らずに皮脂の汚れを落とすことができるため、上述した上半身支持部９と共に用いることで洗顔作業によるユーザＹの負担を更に軽減することができる。
【００３５】
次に、この発明の第２実施形態における洗面化粧台について図面を参照しながら説明する。なお、この第２実施形態の洗面化粧台は、上述した第１実施形態の洗面化粧台と上半身支持部の構成が異なるだけであるため、第１実施形態と同一部分に同一符号を付して説明する。
【００３６】
図６（ａ）、（ｂ）に示すように、この第２実施形態の洗面化粧台２１には、ボール部５を間に挟んだ左右のカウンター部７上にそれぞれ一対の上半身支持部２９が設けられている。
上半身支持部２９は、カウンター部７から上方に立上る支持部材２１５と、これら支持部材２１５上に取り付けられたひじ当て部２１６Ｌ，２１６Ｒとを備えて構成されている。上半身支持部２９は、第１実施形態の上半身支持部９と同様に、陶器、木材、硬質樹脂等で形成し、ひじ当て部２１６Ｌ，２１６Ｒの上部すなわち、ユーザＹのひじ部Ｈが接する位置にだけ低反発ウレタン、ゲル、ビーズクッションなどを透水性の低い材料（例えば、塩ビ等）でカバーして設けるようにしてもよい。
【００３７】
図６（ａ）に示すように、ひじ当て部２１６Ｌ，２１６Ｒはボール部５の左右の縁に沿う細長い薄板状に形成されている。ひじ当て部２１６Ｌ，２１６Ｒは、洗面化粧台２１の前後方向でその後端２１６Ｅが洗面化粧台１の水栓８の前端位置に配置される一方、その前端部２１６Ｆがボール部５の前縁５ｆ付近に至る。左右のひじ当て部２１６Ｌ，２１６Ｒの各前端部２１６Ｆは、やや左右方向内側に湾曲して入り込んでおり、この前端部２１６Ｆにおいてひじ当て部２１６Ｌ，２１６Ｒ同士の間隔が最も狭く（例えば、３００ｍｍ程度に）なっている。また、ひじ当て部２１６Ｌ，２１６Ｒの高さは上述した胸当て部１６と同等の高さに設定されている。これは、後述する図７に示すように、ユーザＹがひじ当て部２１６Ｌ，２１６Ｒにひじ部Ｈを載せる際に、ひじ部Ｈが離れて開いた状態すなわち、ひじ部Ｈの内側部分がひじ当て部２１６Ｌ，２１６Ｒに接する姿勢となることで、ひじ部Ｈと胸部Ｍとが略同じ高さ位置になるためである。
【００３８】
またひじ当て部２１６Ｌ，２１６Ｒは、ひじ部Ｈよりも十分に広い幅寸法で形成され、ひじ当て部２１６Ｌ，２１６Ｒの左右内側の部分は、それぞれ上面視でボール部５にオーバラップして配置されている。また図６（ｂ）に示すように、ひじ当て部２１６Ｌ，２１６Ｒの上面Ｓは、左右方向の内側ほどひじ当て部２１６Ｌ，２１６Ｒの延在方向に沿って形成され、左右方向の外側に向かって徐々に上下方向に沿う方向に立ち上がって形成されている。これによりユーザＹがひじ当て部２１６Ｌ，２１６Ｒにひじ部Ｈを置いた際に、ひじ部Ｈを外側に移動したとしても、上述したひじ当て部２１６Ｌ，２１６Ｒの上面Ｓの上記立ち上がっている部分によってひじ部Ｈの左右方向外側への移動が規制されて、ひじ当て部２１６Ｌ，２１６Ｒからの脱落が防止される。
【００３９】
上述した第２実施形態の洗面化粧台２１によれば、図７に示すように、ユーザＹが洗顔など手の平を用いて前傾作業を行っている場合であっても、台本体部３から上方に向かって立ち上がる上半身支持部２９によってひじ部Ｈを支持することで、ユーザＹの上半身Ｊを支持することができるため、ユーザＹの腰部Ｋへの負担をより効果的に軽減することができる。
そして、上半身支持部２９によってユーザＹのひじ部Ｈを支持することで、ユーザＹの上半身Ｊを支持しつつひじ部Ｈから先については動かすことが可能となるため、前傾作業中におけるユーザＹの腰部Ｋへの負担を軽減することができる。
【００４０】
上述した第１実施形態と同様に、この第２実施形態においても、上半身支持部２９を洗面化粧台２１に着脱自在に設けたり、ユーザＹの体格に応じて上半身支持部２９の高さや洗面化粧台２１の高さを調整できるように高さ調整部を設けてもよい。
【００４１】
従って、上述した第２実施形態の洗面化粧台２１によれば、上半身支持部２９によってユーザＹのひじ部Ｈを支持することで、ユーザＹの上半身Ｊを支持しつつひじ部Ｈから先すなわち手の平などについては動かすことが可能となるため、前傾作業中におけるユーザＹの腰部Ｋへの負担を軽減することができる。
【００４２】
なお、上述した第２実施形態では、支持部材２１５によってひじ当て部２１６Ｌ，２１６Ｒを支持する場合について説明したが、この構成に限られるものではなく、例えば、図８（ａ），（ｂ）に示すように、上述したカウンター部７の高さ位置をひじ当て部２１６Ｌ，２１６Ｒの両外側の高さ位置と同じ位置に設定して、ボール部５の前方側の左右隅部に配置されるカウンター部７上にひじ当て部２１６ｂを形成するようにしても良い。このひじ当て部２１６ｂをカウンター部７に形成した場合も上述したひじ当て部２１６Ｌ，２１６Ｒと同様に、ひじ当て部２１６ｂの上面Ｓがその左右方向内側ほどひじ当て部２１６ｂの延在方向に沿って形成され、その左右方向外側に向って徐々に上下方向に沿う方向に立ち上がって形成される。
【００４３】
上述した第１、第２実施形態では、洗面化粧台１，２１を一例に説明したが、流し台であれば洗面化粧台１に限られるものではなく、ユーザＹが前傾姿勢で立ち作業するような流し台であればよい。また、洗面化粧台１における作業は洗面作業に限られるものではなく、洗髪など種々作業であってもよい。
【符号の説明】
【００４４】
９，２９  上半身支持部
１６  胸当て部
２１６  ひじ当て部
Ｙ  ユーザ
Ｍ  胸部
Ｈ  ひじ部
【図１】
2011041602.tif 000003
【図２】
2011041602.tif 000004
【図３】
2011041602.tif 000005
【図４】
2011041602.tif 000006
【図５】
2011041602.tif 000007
【図６】
2011041602.tif 000008
【図７】
2011041602.tif 000009
【図８】
2011041602.tif 000010